(57)【要約】【課題】偏光板本体及びその支持部材からなる偏光板の放熱性を改善する。【解決手段】光の偏光方向を調整する偏光板本体１０の光入射面及び光出射面をその偏光板本体１０より熱伝導率の高い対向する一対のガラス基板２０，３０により直接密着挟持したことを特徴とする。この場合、偏光板本体１０の光通過領域１２よりガラス基板２０，３０の方が大きな面積を有するようにするのがよい。また、対向するガラス基板２０，３０は、フレーム４０及び押さえバネ５０などを介して固着してよい。【選択図】        図１
2004198596.tif 000002
【特許請求の範囲】
【請求項１】
光の偏光方向を調整する偏光板本体の光入射面及び光出射面を前記偏光板本体より熱伝導率の高い対向する一対のガラス基板により直接密着挟持したことを特徴とする偏光板。
【請求項２】
前記ガラス基板が単結晶ガラス材料からなることを特徴とする請求項１記載の偏光板。
【請求項３】
前記偏光板本体の光入射面及び光出射面周囲に反射防止膜を被膜したことを特徴とする請求項１又は２記載の偏光板。
【請求項４】
前記ガラス基板の各面に反射防止膜を被膜したことを特徴とする請求項１乃至３のいずれかに記載の偏光板。
【請求項５】
前記偏光板本体の光通過領域より前記ガラス基板の方が大きな面積を有することを特徴とする請求項１乃至４のいずれかに記載の偏光板。
【請求項６】
前記偏光板本体及び前記ガラス基板を前記偏光板本体の光通過領域に対応する部分が開口したフレームに一体固定したことを特徴とする請求項１乃至５のいずれかに記載の偏光板。
【請求項７】
前記フレームが対向する一対のフレームであることを特徴とする請求項６記載の偏光板。
【請求項８】
照明光学系と、該照明光学系によって照射された光束を複数の色光束に分離する色光分離光学系と、該色光分離光学系で分離された各色光束を変調して画像を生成する電気光学装置と、その変調した各色の光束を合成する色光合成プリズムと、その合成光を投写する投写レンズとを備えたプロジェクタにおいて、
前記電気光学装置の入射側又は／及び出射側の空気流路中に前記請求項のいずれか１項に記載の偏光板を配置したことを特徴とするプロジェクタ。
【発明の詳細な説明】
【０００１】
【発明の属する技術分野】
本発明は、光学素子である偏光板及びそれを用いたプロジェクタに関する。
【０００２】
【従来の技術】
プロジェクタ等の光学機器に用いられる偏光板は、通常、偏光層としての染料層を両側から樹脂層で挟んだ積層構造からなっている。そして、偏光板は、光通過の際、不要偏光成分を吸収しその不要偏光成分が熱に変換されるため、偏光板自身の偏光特性の劣化や、偏光板周辺の素子に対して熱伝導が生じてそれらの素子の特性を劣化させることもある。従って、上記のような偏光板をプロジェクタ等に取り付ける際には、偏光板の両面又は片面にガラス基板を貼り付けて用い、偏光板で吸収された熱をガラス基板に放出して放熱することが行われている（例えば、特許文献１参照）。
【０００３】
【特許文献１】
特開２０００−１１２０２２号公報（請求項１〜４、図３）
【０００４】
【発明が解決しようとする課題】
しかしながら、従来は偏光板のほぼ全面に接着剤や粘着剤を塗布して偏光板とガラス基板とを貼り付けていたため、偏光板からガラス基板への放熱の際、それらの間に粘着剤や接着剤（以下粘着剤等という）による熱抵抗が介在し、それが放熱性を低下させる原因となっていた。
本発明は上記課題に鑑みてなされたもの、偏光板本体及びその支持体からなる偏光板の放熱性をさらに改善する構造を提供し、さらに、その放熱性が改善された偏光板を利用したプロジェクタを提供することを目的とする。
【０００５】
【課題を解決するための手段】
本発明の偏光板は、光の偏光方向を調整する偏光板本体の光入射面及び光出射面を前記偏光板本体より熱伝導率の高い対向する一対のガラス基板により直接密着挟持したことを特徴とする。その場合、前記ガラス基板は、サファイア、水晶、蛍石等の単結晶ガラス材料から製造されるのが好ましい。これによれば、偏光板本体とガラス基板との間に粘着剤や接着剤が介在しないためその分の熱抵抗がなくなって、偏光板本体からガラス基板への熱伝導性が向上する。また、粘着剤や接着剤がなくなったことでその分光透過性がよくなり、従来に比べて発熱量も低減させることができる。
【０００６】
なお、前記偏光板本体の光入射面及び光出射面周囲には反射防止膜を被膜するのが好ましい。また、前記ガラス基板の各面には反射防止膜を被膜するのが好ましい。これらにより、光の反射が抑制されて光の利用効率が向上する。
【０００７】
また、前記偏光板本体の光通過領域より前記ガラス基板の方が大きな面積を有することを特徴とする。こうすることで、偏光板本体からガラス基板への熱伝導が、小さな領域から大きな領域へ広がる熱伝導となって熱抵抗が下がり、放熱性が向上する。
また、前記偏光板本体及び前記ガラス基板を、前記偏光板本体の光通過領域に対応する部分が開口したフレームに一体固定してもよい。これによれば、フレームを利用して偏光板本体の偏光軸のズレを抑制することや、フレームを介して偏光板の熱を偏光板取り付け筐体へ熱伝導することが可能となる。
なお、前記フレームは対向する一対のフレームとしてもよい。
【０００８】
本発明のプロジェクタは、照明光学系と、該照明光学系によって照射された光束を複数の色光束に分離する色光分離光学系と、該色光分離光学系で分離された各色光束を変調して画像を生成する電気光学装置と、その変調した各色の光束を合成する色光合成プリズムと、その合成光を投写する投写レンズとを備えたプロジェクタにおいて、前記電気光学装置の入射側又は／及び出射側の空気流路中に上記いずれかの偏光板を配置したことを特徴とする。これにより、プロジェクタ内部の偏光板の放熱性が向上するため、ファンの個数を削減したりファンの回転数を減らしたりできるのでプロジェクタの小型化、低騒音化が図れるとともに、偏光板の信頼性が増して画素品質の劣化も抑制できる。
【０００９】
【発明の実施の形態】
（１）偏光板
以下に、本発明の偏光板の実施形態を詳細に説明する。本発明の偏光板の基本態様は、光の偏光方向を調整する偏光板本体を、その偏光板本体より熱伝導率の高い対向する一対のガラス基板に挟んでサンドイッチ状に密着保持するようにしたものである。この場合、偏光板本体とガラス基板とは、接着剤等を介さずに直接当接させる。なお、一対のガラス基板は、熱伝導性が良好な、サファイア、水晶、蛍石等の単結晶ガラス材料から製造するのが好ましい。また、一対のガラス基板の各々は同じ材質のものであっても、異なる材質のものであってもかまわない。
【００１０】
実施例１．
図１は本発明の偏光板の実施例１に係る分解構成図、図２は図１の偏光板の組付図である。この偏光板は、偏光板本体１０、偏光板本体１０を挟持する偏光板本体１０より熱伝導率の高い対向する一対のガラス基板２０，３０、偏光板本体１０及び一対のガラス基板２０，３０の左右縁部が当接する突き当て４１が形成され、偏光板本体１０の光通過部分１２に対応する部分が開口された矩形状のフレーム４０、そして偏光板本体１０、ガラス基板２０，３０及びフレーム４０を一体的に固定するため対向片がバネ性を有するコの字状の押さえバネ５０からなる。
【００１１】
上記各部材の組み付けは、例えば以下のように行われる。すなわち、フレーム４０の左右突き当て４１をガイドにしながら、ガラス基板２０、偏光板本体１０、ガラス基板３０を、その順でフレーム４０上に配置する。その後、押さえバネ５０の開口部を、ガラス基板２０、偏光板本体１０及びガラス基板３０の積層表面に沿って押さえバネ５０の開口部底面５１とフレーム４０の突き当て４１とが当接するまで押し込み、最後に、押さえバネ５０のバネ作用を利用して、フレーム４０、ガラス基板２０、偏光板本体１０及びガラス基板３０を一体に固定する。このようにして組上がった偏光板が図２に示されている。
なお、フレーム４０の突き当て４１は偏光板本体１０の偏光軸の位置ズレを抑制する作用も果たしており、従って、突き当てをフレーム４０の左右辺に加えて上下辺にも設けておくと、偏光板本体１０の偏光軸のズレをより一層抑制できる。
【００１２】
実施例２
図３は本発明の偏光板の実施例２に係る組付図である。これは、偏光板本体１０のガラス基板２０，３０による挟持を、一対のフレーム６０，７０を利用して行った例である。すなわち、偏光板本体１０を一対のガラス基板２０，３０の間に挟んだ状態で、それらを偏光板の光通過部分に対応する部分が開口した対向する一対のフレーム６０，７０により挟持する。この場合、フレーム６０の上下左右辺には、偏光板本体１０、ガラス基板２０，３０及びフレーム７０の縁部に当接する突き当て６１が立設されており、これによって、偏光板本体１０、ガラス基板２０，３０がフレーム６０内に位置決めされる。さらに、左右辺の突き当て６１にはフレーム７０の左右縁部と噛み合うフック６１Ａが形成されており、このフック６１Ａとフレーム７０縁部との噛み合いにより、偏光板本体１０、ガラス基板２０，３０及びフレーム６０，７０が一体に固定される。
【００１３】
実施例３
図４も偏光板本体１０のガラス基板２０，３０による挟持を、一対のフレーム８０，９０を利用して行った例である。実施例２との相違は、一対のフレーム８０，９０間における部材の固定をフックではなく、フレーム８０，９０の四隅に配したネジ９５の締め付けにより行って、偏光板本体１０、ガラス基板２０，３０及びフレーム８０，９０を一体に固定したものである。従って、それに関連する部分以外の構成は、実施例２と同じである。
【００１４】
ところで、偏光板を構成している偏光板本体１０は、例えば図５のような構造となっている。この偏光板本体１０は、ポリビニルアルコール（ＰＶＡ）と染料とからなる偏光層（厚さ約３０μｍ）の両面に、トリアセチルセルロース（ＴＡＣ）からなる支持層（厚さ約８０μｍ）が積層された薄いシート状となっている。なお、トリアセチルセルロースには、可視光線の範囲で９０％以上の透過率を持つものがあり、それを利用することで、熱吸収による発熱を最小限に抑えることができる。また、トリアセチルセルロースの空気対面層には、通常、反射防止膜を施す。このような偏光板本体１０を一対のガラス基板で密着挟持する本発明の偏光板においては、トリアセチルセルロース（ＴＡＣ）からなる支持層の厚さを従来の半分程度まで薄くしても偏光層を所定の形状に保持することが可能となる。そのため、トリアセチルセルロース（ＴＡＣ）の厚みを４０μｍ程度まで薄くしてその熱抵抗を低減させ、偏光板本体１０の放熱性を向上させることができる。
【００１５】
また、図５の構成の偏光板本体１０を用いた実施例１〜３の偏光板における、偏光板本体１０から外気に至るまでの熱回路網は、例えば図６のように示すことができる。すなわち、ポリビニルアルコール（ＰＶＡ）と染料とからなる偏光層が発熱源であり、その偏光層の両面にトリアセチルセルロース（ＴＡＣ）及び反射防止膜（ＡＲコート）による熱抵抗があり、そして、それらに直列に一対のガラス基板２０，３０による熱抵抗がある。また、ガラス基板２０，３０に密着固定されているフレーム４０，６０，７０，８０，９０等による熱抵抗が、ガラス基板２０，３０の熱抵抗に直列に加わる。さらに、ガラス基板２０，３０及びフレーム４０，６０，７０，８０，９０等には、組み込まれた機器の内部空気による熱抵抗と外部空気による熱抵抗が存在する（偏光板が光学機器内に組み込まれた場合）。実施例１〜３の偏光板の場合、この熱回路網に従って、偏光層で発生した熱がガラス基板２０，３０の両面に伝導して放熱し、又フレーム４０，６０，７０，８０，９０にも伝導して放熱するため、熱の伝導効率が向上する。
【００１６】
実施例１〜３の偏光板によれば、偏光板本体１０とガラス基板２０，３０との間に粘着剤や接着剤を介在させることなくそれらを直接密着させているので、粘着剤や接着剤に対応する熱抵抗がなくなって、偏光板本体１０からガラス基板２０，３０への熱伝導性が向上する。また、粘着剤や接着剤がなくなったことでその分光透過性がよくなり、従来に比べて偏光板の発熱量も低減できる。また、偏光板本体１０を両面からガラス基板２０，３０で挟持するため、偏光板本体１０を構成している偏光板支持基材（上記のトリアセチルセルロース（ＴＡＣ））を従来の場合より薄くでき、その結果、その熱抵抗が低減できて偏光板本体１０からガラス基板２０，３０への熱伝導性が向上する。さらに、偏光板本体１０からガラス基板２０，３０の両面に熱伝導するため、偏光板本体１０表面からガラス基板２０，３０を経て大気中に至る放熱経路の熱抵抗が少なくなって放熱性が向上する。
また、突き当て４１，６１，８１を備えたフレーム４０，６０，７０，８０，９０により、偏光板本体１０及びガラス基板２０，３０を位置決め固定しているため、偏光板本体１０の偏光軸のズレも抑制できる。
また、ガラス基板２０，３０は、偏光板本体１０から容易に取り外しができるので、それらのガラス基板の再利用も可能となる。
さらに、上記構成の場合、使用するガラス基板２０，３０の厚みを増すことで防塵ガラスとしての機能も持たせることが可能となる利点も有する。
【００１７】
なお、上記実施例１〜３の偏光板はあくまでも例示であり、本発明の基本形態の範囲内においてさらに種々の変更が可能である。例えば、以下のような構成が可能である。
偏光板本体１０を挟持した一対のガラス基板２０，３０は、押さえバネ、テープ、接着剤等を利用して、フレームを用いることなく、それらを一体に固定することができる。
フレーム４０，６０，７０，８０，９０の形状は、必ずしも４辺を有した矩形である必要はなく、偏光板本体１０の光通過領域に対応した部分が開口又は開放されている任意の形状としてよい。ただし、偏光板本体１０及びガラス基板２０，３０を位置決めできるガイド（例えば、偏光板本体１０及びガラス基板２０，３０の外縁が当接する突部、あるいは偏光板本体１０及びガラス基板２０，３０の外縁が嵌る溝）をできるだけ多く備えておくと、組付けが容易になることに加えて、偏光板本体１０の偏光軸のズレも抑制可能となる。
ガラス基板２０，３０の各面には、光の有効利用を図る点から反射防止膜を被膜してもよい。
ガラス基板２０，３０と一体に固定されるフレーム６０，７０，８０，９０が一対の樹脂製の場合、それらのフレーム同士の固定は、上記のフックやネジによる固定の他に、熱や超音波を利用した溶着固定とすることもできる。
【００１８】
（２）プロジェクタ
次に、本発明のプロジェクタの実施形態を説明する。図７は、本発明の実施形態に係るプロジェクタの光学系全体を平面的に見た概略構成図である。このプロジェクタは、照明光学系１００と、ダイクロイックミラー２１０，２１２と、反射ミラー２２０，２２２，２２４と、入射側レンズ２３０と、リレーレンズ２３２と、３枚のフィールドレンズ２４０，２４２，２４４と、３枚の液晶パネル２５０，２５２，２５４と、各液晶パネルの出射側及び入射側にそれぞれ配置された偏光板２５１，２５３，２５５，２５６，２５７，２５８と、クロスダイクロイックプリズム２６０と、投写光学系（投写レンズ）２７０とを備えている。そしてここでは、上記偏光板２５１，２５３，２５５，２５６，２５７，２５８に、前述した実施例１〜３のいずれかの偏光板を採用する。
【００１９】
照明光学系１００は、ほぼ平行な光線束を射出する光源１１０と、第１のレンズアレイ１２０と、第２のレンズアレイ１３０と、偏光変換素子１４０と、反射ミラー１５０と、重畳レンズ１６０とを備えている。第１のレンズアレイ１２０と第２のレンズアレイ１３０とは、３枚の液晶パネル２５０，２５２，２５４をほぼ均一に照明するためのインテグレータ光学系を構成している。
【００２０】
光源１１０は、放射状の光線を射出する放射光源としての光源ランプ１１２と、光源ランプ１１２から射出された放射光をほぼ平行な光線束として射出する凹面鏡１１４とを有している。光源ランプ１１２としては、通常、メタルハライドランプや高圧水銀灯等の高圧放電灯が用いられる。凹面鏡１１４としては、放物面鏡を用いることが好ましい。なお、放物面鏡に代えて、楕円面鏡や球面鏡等も用いることができる。
【００２１】
第１のレンズアレイ１２０は複数の第１の小レンズ１２２で構成されている。第２のレンズアレイ１３０は、複数の第１の小レンズ１２２のそれぞれに対応する複数の第２の小レンズ１３２で構成されている。光源１１０から射出された略平行光な光線束は、第１と第２のレンズアレイ１２０，１３０によって、複数の部分光線束に分割されて偏光変換素子１４０に入射する。偏光変換素子１４０は、非偏光な光を所定の直線偏光光、例えば、ｓ偏光光あるいはｐ偏光光に変換して射出する機能を有している。従って、偏光変換素子１４０に入射した複数の部分光線束は、それぞれ所定の直線偏光光に変換されて射出される。偏光変換素子１４０から射出された複数の部分光線束は、反射ミラー１５０で反射されて重畳レンズ１６０に入射する。重畳レンズ１６０に入射した複数の部分光線束は、重畳レンズ１６０の重畳作用によって、照明領域である液晶パネル２５０，２５２，２５４上でほぼ重畳される。この結果、各液晶パネル２５０，２５２，２５４は、ほぼ均一に照明されることになる。
【００２２】
２枚のダイクロイックミラー２１０，２１２は、照明光学系１００から射出された光を、赤（Ｒ）、緑（Ｇ）、青（Ｂ）の３つの色光に分離する色光分離光学系２１４を構成している。第１のダイクロイックミラー２１０は、照明光学系１００から射出された光の赤色光成分を透過させるとともに、青色光成分と緑色光成分とを反射する。
【００２３】
第１のダイクロイックミラー２１０を透過した赤色光は、反射ミラー２２０で反射され、フィールドレンズ２４０を通って赤光用の液晶パネル２５０に達する。このフィールドレンズ２４０は、通過した各部分光線束が、各部分光線束の主光線（中心軸）に平行な光束となるように集光する機能を有している。他の液晶パネルの前に設けられたフィールドレンズ２４２，２４４も同様に作用する。
【００２４】
第１のダイクロイックミラー２１０で反射された青色光と緑色光のうちで、緑色光は第２のダイクロイックミラー２１２によって反射され、フィールドレンズ２４２を通って緑光用の液晶パネル２５２に達する。一方、青色光は、第２のダイクロイックミラー２１２を透過し、入射側レンズ２３０と、リレーレンズ２３２および反射ミラー２２２，２２４を備えたリレーレンズ系を通過する。リレーレンズ系を通過した青色光は、さらにフィールドレンズ２４４を通って青色光用の液晶パネル２５４に達する。
【００２５】
なお、青色光にリレーレンズ系が用いられているのは、青色光の光路の長さが他の色光の光路の長さよりも長いために発生する光の利用効率の低下を防止するためである。すなわち、入射側レンズ２３０に入射した青色光をそのまま、射出側レンズ（フィールドレンズ）２４４に伝えるためである。
【００２６】
電気光学装置である３枚の液晶パネル２５０，２５２，２５４は、それぞれに入射する各色光を、与えられた画像信号に応じて画像を形成するための光に変換して射出する光変調装置としての機能を有する。なお、この液晶パネル２５０，２５２，２５４の光入射側には偏光板２５６，２５７，２５８が有り、また、液晶パネル２５０，２５２，２５４の光出射側には偏光板２５１，２５３，２５５がそれぞれ設けられていて、それにより各色光の偏光方向が調整されている。
【００２７】
クロスダイクロイックプリズム２６０は、３枚の液晶パネル２５０，２５２，２５４から射出された３色の色光を合成する色光合成光学系としての機能を有する。クロスダイクロイックプリズム２６０には、赤光を反射する誘電体多層膜と、青光を反射する誘電体多層膜とが、４つの直角プリズムの界面に略Ｘ字状に形成されている。これらの誘電体多層膜によって３つの色光が合成されて、カラー画像を投写するための合成光が形成される。クロスダイクロイックプリズム２６０で生成された合成光は、投写光学系２７０の方向に射出される。投写光学系２７０は、この合成光を投写スクリーン３００上に投写して、カラー画像を表示する。
【００２８】
次に、上記偏光板２５１，２５３，２５５、２５６，２５７，２５８の取り付け態様について説明しておく。なお、図８はこれら偏光板の取り付け態様の一例を示す液晶パネル付近の斜視図、図９は図８における偏光板の位置関係を示す液晶パネル付近の平面図であり、これらの図を基に説明する。なお、図８、図９において、図７と同一符号は同一物を示すものとする。
【００２９】
クロスダイクロイックプリズム２６０は、投写光学系２７０の近傍において、プロジェクタの光学系を構成する各種光学要素を取り付けるライトガイド２９０に固定されている。また、各液晶パネル２５０，２５２，２５４は、クロスダイクロイックプリズム２６０の各光入射面に取り付けられたスペーサとしても機能する取付板２８０及びネジ２８５を利用してクロスダイクロイックプリズム２６０と隙間を介して一体に固定されている。さらに、液晶パネル２５０，２５２，２５４と各取付板２８０との間には、各液晶パネル２５０，２５２，２５４からの出射光を偏光する偏光板２５１，２５３，２５５が、それら偏光板の両面にも隙間を有するようにして配置されている。これらの偏光板２５１，２５３，２５５は、例えば取付板２８０に取り付けて固定することができる。一方、各液晶パネル２５０，２５２，２５４の光入射面側には、各液晶パネルへの入射光を偏光する偏光板２５６，２５７，２５８が、ライトガイド２９０に取り付けられている。そして、それらの偏光板２５６，２５７，２５８の光入射側に、フィールド２４０，２４２，２４４が、ライトガイド２９０に取り付けられて配置されている。
【００３０】
なお、液晶パネル２５０，２５２，２５４の下部には、図示していない吸気ファンが配置されており、プロジェクタ内部に吸引された空気が、液晶パネル２５０，２５２，２５４、各偏光板２５１，２５３，２５５，２５６，２５７，２５８の周囲を通過して上昇する構造としている。
【００３１】
上記プロジェクタによれば、液晶パネル２５０，２５２，２５４の両面、及び偏光板２５１，２５３，２５５、２５６，２５７，２５８を構成しているガラス基板の両面に当たる冷却空気の強制対流により、それら液晶パネル及び偏光板の放熱性が向上する。また、偏光板２５１，２５３，２５５、２５６，２５７，２５８の熱はそれらのフレーム４０，６０，７０，８０，９０を介してライトガイド２９０へも熱伝導される。これにより、プロジェクタ内の放熱性が改善され、プロジェクタ内のファンの個数を減らすこと、ファンの回転数を減らしてファンの音を低減させること、更には画素ピッチや画素ずれを抑制することが可能となり、小型、低騒音、高輝度及び高画質のプロジェクタを得ることができる。
【００３２】
なお、上記プロジェクタでは、ランプからの光を複数の部分光束に分割する２つのレンズアレイを用いていたが、本発明はそのようなレンズアレイを用いないプロジェクタにも適用できる。また、液晶パネルは、赤、緑、青色光に対応して３個用いられたが、１個、２個、または４個以上用いたプロジェクタとしても良い。また、上記プロジェクタでは、本発明の偏光板を液晶パネル２５０，２５２，２５４の入射側及び出射側の両側に配置したが、その片側だけを本発明の偏光板とする構成としてもよい。
【図面の簡単な説明】
【図１】本発明の実施形態実施例１に係る偏光板の分解構成図。
【図２】図１の偏光板の組付図。
【図３】本発明の実施形態実施例２に係る偏光板の組付図。
【図４】本発明の実施形態実施例３に係る偏光板の組付図。
【図５】偏光板に組み込まれる偏光板本体の構造例示図。
【図６】実施例１〜３の偏光板における熱回路網図。
【図７】本発明の実施形態に係るプロジェクタの光学系構成図。
【図８】偏光板の取り付け態様の一例を示す液晶パネル付近の斜視図。
【図９】図８の偏光板の位置関係を示す液晶パネル付近の平面図。
【符号の説明】
１０…偏光板本体、１２…偏光板本体の光通過領域、２０，３０…一対のガラス基板、４０…フレーム、４１…突き当て、５０…押さえバネ、５１…押さえバネの開口部底面、６０，７０…一対のフレーム、６１…突き当て、６１Ａ…突き当てのフック、８０，９０…一対のフレーム、８１…突き当て、９５…ネジ、１００…照明光学系、２１４…色光分離光学系、２４０，２４２，２４４…フィールドレンズ、２５０，２５２，２５４…液晶パネル、２５１，２５３，２５５，２５６，２５７，２５８…偏光板、２６０…クロスダイクロイックプリズム、２７０…投写光学系、３００…投写スクリーン
【図１】
2004198596.tif 000003
【図２】
2004198596.tif 000004
【図３】
2004198596.tif 000005
【図４】
2004198596.tif 000006
【図５】
2004198596.tif 000007
【図６】
2004198596.tif 000008
【図７】
2004198596.tif 000009
【図８】
2004198596.tif 000010
【図９】
2004198596.tif 000011